(57)【要約】【課題】  平面的に均一な温感性能を発揮できるとともに、強度低下を抑制することのできるフロア材を提供する。【解決手段】  ＳＭＣ等からなる基材層１１と、当該基材層１１の上面に積層された断熱層１２と、この断熱層１２の上面に積層された化粧層１３とを備えてフロア材１０が形成されている。断熱層１２は、中空粒子１２Ａを添加して樹脂液をポリエステル不織布シートに含浸したプリプレグシートを成形材料として形成され、化粧層１３は、中空粒子を含まない前記樹脂液をポリエステル不織布印刷シートに含浸してプリプレグシートを成形材料として形成されている。【選択図】      図２
2007085055.tif 000002
【特許請求の範囲】
【請求項１】
基材層と、当該基材層の上面に積層された断熱層とを備えたフロア材において、
前記断熱層は、中空粒子が混入された液体樹脂をシート材に含浸したプリプレグシートにより構成されていることを特徴とするフロア材。
【請求項２】
前記断熱層の表面側に、プリプレグシートに隠蔽加飾印刷が施された印刷層が積層されていることを特徴とする請求項１記載のフロア材。
【発明の詳細な説明】
【技術分野】
【０００１】
本発明はフロア材に係り、特に、浴室や、これに隣接する洗面室等に適用されるフロア材に関する。
【背景技術】
【０００２】
浴室のフロア材として適用されるフロア材（防水パン）や、浴室の出入り口に連なる洗面室のフロア材には、シートモールディングコンパウンド（ＳＭＣ）を成形材料として成形された板状のプラスチック成形品が利用されている。
このような成形品によるフロア材は温感性能が悪く、素足で接したときに、冬季においは冷たく感じさせてしまうものとなっている。
【０００３】
そこで、最近では、ＳＭＣ等からなる基材層に断熱層を設け、その表面に非透水性のフィルムからなる表層を設けたフロア材が提案されている（例えば、特許文献１参照）。
【０００４】
【特許文献１】特開２００５−１７８３５３号公報
【発明の開示】
【発明が解決しようとする課題】
【０００５】
しかしながら、特許文献１に記載されたフロア材にあっては、不織布に液状樹脂を含浸させて断熱層を構成したものであり、当該断熱層は、不織布の繊維に樹脂を絡み付ける一方、繊維間に空隙を設けて気孔を残存させる構成となっている。従って、フロア材の面内における気孔の分布にバラツキが生じ易くなり、部分的に断熱性能を低下させてしまう場合を惹起する、という不都合がある。
また、気孔を形成するために、不織布に含浸させる樹脂の量も制限される結果、断熱層に高い強度付与を期待することはできない。
【０００６】
ところで、最近では、ＳＭＣを成形材料とした基材層と、ＳＭＣに中空粒子を添加した材料を用いて成形された断熱層との複層構造を備えたフロア材が販売されている。このフロア材は、断熱層内の中空粒子の存在により、熱伝導を抑制して冷感ストレスを緩和させようとするものである。
しかしながら、このようなフロア材は、断熱層の表面を塗装等で覆う必要があり、オフライン作業が要求される、という不都合がある他、異種ＳＭＣの積層構造となることで、内部応力を発生し、これに伴うクラック等の欠陥も生じ易いものとなる。
更に、断熱層は中空粒子の存在によって強度が低下するため、厚みを大きくすることで強度低下を回避する必要があり、これがフロア材全体の重量増の原因となるとともに、コスト並びに施工性の点で問題がある。
また、断熱層のＳＭＣ材料が成形時に樹脂の流動により、等しく中空粒子が分散できないという不安定な要素があり、温感性能が部分的に悪くなって性能の均一性も担保できないものとなる。
【０００７】
［発明の目的］
本発明は、このような不都合に着目して案出されたものであり、その目的は、平面的に温感性能のバラツキがないとともに、強度低下を抑制することのできるフロア材を提供することにある。
【課題を解決するための手段】
【０００８】
前記目的を達成するため、本発明は、基材層と、当該基材層の上面に積層された断熱層とを備えたフロア材において、
前記断熱層は、中空粒子が混入された液体樹脂をシート材に含浸したプリプレグシートにより構成される、という構成を採っている。
【０００９】
本発明において、前記断熱層の表面側に、プリプレグシートに隠蔽加飾印刷が施された化粧層が積層される、という構成を採ることが好ましい。
【発明の効果】
【００１０】
本発明によれば、断熱層が中空粒子を含むプリプレグシートにより構成されているため、基材層がＳＭＣ等の成形材料であれば、成形型によって同時に成形することができる。また、プリプレグシートに中空粒子を含ませた状態で成形が行われるため、ＳＭＣに中空粒子を含ませた場合の強度的な低下は回避可能となる。しかも、成形時の中空粒子の流れが局所的に集中してしまうおそれを抑制でき、部分的に温感性能が低下する不都合は生じない。
【発明を実施するための最良の形態】
【００１１】
以下、本発明の好ましい実施の形態について、図面を参照しながら説明する。
【００１２】
図１には、本実施形態に係るフロア材の断面図が示され、図２には、図１のＡ部拡大断面図が示されている。これらの図において、フロア材１０は、基材層１１と、当該基材層１１の上面に積層された断熱層１２と、この断熱層１２の上面に積層された化粧層１３とにより構成されている。基材層１１はＳＭＣを成形材料として形成されており、平面部１１Ａと当該平面部１１Ａの裏面側に設けられた補強リブ１１Ｂとにより構成されている。
【００１３】
前記断熱層１２は、ガラスバルーン、シラスバルーン、シリカバルーン、樹脂バルーン等の中空粒子１２Ａを液体樹脂材料に含有させて不織布等のシート材に含浸させて得られるプリプレグシートを成形材料として構成されている。また、化粧層１３は、断熱層１２と同様にプリプレグシートにより構成されており、表面に印刷が施されたものが採用されている。この化粧層１３は、断熱層１２を隠蔽するものであるため、当該断熱層１２に多量の中空粒子を用いて色むらが生じても、当該色むらを外観上に表出させることがなく、しかも、断熱層１３の補強層として作用し得るようになっている。
【００１４】
以下に、本発明の具体的実施例を比較例と共に説明する
【００１５】
［実施例１］
ジアリルフタレートプレポリマー５０部、特殊ポリエステル樹脂５０部、ターシャリーブチルパーオキシイソプロピルカーボネート４部、内部離型剤０．８部、重合調製剤０．０８部、微粉末シリカ７部をアセトンに溶解して固形分濃度５０％となるように樹脂液を調製し、中空粒子として、住友スリーエム社製のスコッチブライト（登録商標）、グラスバブルスフィラー  Ｋ３７を用い、前記樹脂液と中空粒子を１：０．１の割合（樹脂液１０００グラムに対して中空粒子１００グラム）とした粒子含有樹脂液をポリエステル不織布に刷毛塗りし、３４７ｇ／ｍ２(乾燥重量)及び中空粒子５８ｇ／ｍ２を含む補強層用のシートＡを得た。
断熱層１２と同様の樹脂液を調製し、当該樹脂液をポリエステル不織布石目調印刷シートに含浸して２５０ｇ／ｍ２（乾燥重量）の印刷層用のシートＢを得た。
成形は、上型１４５℃、下型１３５℃に調製した金型上に、前記シートＢ、シートＡ、ＳＭＣの順に設置し、通常のＳＭＣ加圧成形と同様の条件でプレス成形して１５００mm×８００mmのフロア材を得た。
評価は、前記フロア材を１０℃に冷却後、それらを触診で調べた。その結果は表１に示すように、暖かく感じられ、ひんやり感を感じることはなかった。また、刷毛塗りの際の塗布もスムースなものであった。
【００１６】
［実施例２〜９］
実施例１と同様の樹脂液と中空粒子の割合、刷毛塗り後の乾燥重量及び中空粒子の量を表１に示すように種々変化させてシートＡを形成した。そして、このシートＡを実施例１と同様のシートＢ及びＳＭＣと共に同一の条件でプレス成形してフロア材を得た。
なお、実施例６及び７は、シートＡを二枚重ねてフロア材を形成したものであり、また、実施例８はシートＡを三枚重ねてフロア材を形成した。
表１に示されるように、実施例２では、中空粒子の量が相対的に多いことから塗布容易性において刷毛塗りのスムース感が若干低下するものの、温感性能は良好であった。また、実施例４、５及び７は、温感性能において暖かく感じられるものの十分ではないが、実用レベルである結果が得られた。更に、実施例９は、温感性能は良好であるものの材料の流動性が低下することで塗布容易性が悪いものであった。但し、塗布容易性の問題を解消できる限りにおいて、実用的なものとすることができる。
従って、中空バルーンの量は、１０ｇ／ｍ２以上１００ｇ／ｍ２未満が好ましく、２５ｇ／ｍ２以上６０ｇ／ｍ２未満がより好ましい。また、シートＡを複数枚重ねることも可能であるが、４枚以上であると作業性が悪くなるため３枚以下とすることが好ましい。
【００１７】
［比較例１、２］
実施例１の樹脂液に中空粒子を入れないでシートＡ１を形成し、当該シートＡ１を一枚若しくは二枚重ね、実施例１と同様のシートＢ及びＳＭＣを重ねて実施例１と同様の条件でフロア材を得た。このフロア材を実施例と同様の方法で評価を行い、その結果を表１に示す。
【００１８】
表１から明らかなように、比較例１及び２は、暖かく感じることはなく、温感性能において、実用的でないことが明らかとなった。
【００１９】
【表１】
2007085055.tif 000003
【００２０】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２１】
例えば、前記実施形態では、補強層１２の上面に化粧層１３を設ける構成を採用したが、補強層１２の色むら等を生ずることがない場合には、化粧層１３を省略することが可能である。
【図面の簡単な説明】
【００２２】
【図１】本実施形態に係るフロア材の概略断面図。
【図２】図１のＡ部拡大断面図。
【符号の説明】
【００２３】
１０…フロア材、１１…基材層、１２…断熱層、１２Ａ…中空粒子、１３…化粧層
【図１】
2007085055.tif 000004
【図２】
2007085055.tif 000005